(57)【要約】【課題】ＩＤカードの作成時に記録される発行履歴情報をカード管理業者等にフィードバック可能にする等有効活用して、ＩＤカードの不正発行や偽変造を防止し、高い安全性と品質性能を確保した管理体制を構築可能なＩＤカード作成装置及びシステムを提供する。【解決手段】記憶手段を内蔵したカード部材を収納するカートリッジに記録手段を設け、カード部材上に出力される画像情報等の発行履歴情報をカード部材の記憶手段に記憶させるとともにカートリッジの記録手段にも付与するＩＤカード作成装置。【選択図】        図１
2004272513.tif 000002
【特許請求の範囲】
【請求項１】
記録手段を有するカートリッジより供給される記憶手段を有するカード部材に顔画像を出力してＩＤカードを作成するＩＤカード作成装置であって、
該ＩＤカード作成装置は、
該カード部材の記憶手段と該カートリッジの記録手段に情報を付与する情報付与手段と、該カード部材上に画像出力を行う出力手段と、
該情報付与手段による情報付与と該出力手段による画像出力を制御し、かつ、該カード部材の記憶手段に付与した情報を該カートリッジの記録手段に付与するように制御する制御手段を有することを特徴とするＩＤカード作成装置。
【請求項２】
前記カートリッジに収納されているカード部材の記憶手段は、個々のカード部材を識別する識別情報を記憶しているものであることを特徴とする請求項１に記載のＩＤカード作成装置。
【請求項３】
前記カートリッジの記録手段は、該カートリッジに収納される個々のカード部材に付与されている識別情報を記録していることを特徴とする請求項２に記載のＩＤカード作成装置。
【請求項４】
前記制御手段は、
前記カード部材の記憶手段に付与された情報を前記カートリッジの記録手段に記録する時に、
個々のカード部材に付与されている識別情報に対応して、
前記カード部材の記憶手段に付与された情報を該カートリッジの記録手段に付与するように制御することを特徴とする請求項１〜３のいずれか１項に記載のＩＤカード作成装置。
【請求項５】
前記カートリッジの記録手段が、ＩＣチップであることを特徴とする請求項１〜４のいずれか１項に記載のＩＤカード作成装置。
【請求項６】
記録手段を有するカートリッジに収納された記憶手段を有するカード部材に顔画像を出力してＩＤカードの作成を行うＩＤカード作成システムであって、
該ＩＤカードの作成を行う時に、
該カード部材の記憶手段と該カートリッジの記録手段に情報を付与して該カード部材に画像出力を行い、
該カートリッジの記録手段に、該カード部材の記憶手段に付与した情報を記録することを特徴とするＩＤカード作成システム。
【請求項７】
前記カートリッジの記録手段には、該カートリッジに収納される個々のカード部材を識別する識別情報が記録されており、
該カートリッジの記録手段に記録される前記カード部材の記憶手段に付与された情報を該識別情報に対応して記録することを特徴とする請求項６に記載のＩＤカード作成システム。
【請求項８】
前記カートリッジを回収し、回収したカートリッジにカードを再度装填して前記ＩＤカード作成システムにカードの供給を行うとともに、
回収したカートリッジの記録手段に記録された発行済みカードの発行履歴に関する情報を収集し、収集した情報を記録、管理する、
ことを特徴とする請求項６または７に記載のＩＤカード作成システム。
【請求項９】
請求項１〜５のいずれか１項に記載のＩＤカード作成装置を用いて作成されてなる、または、請求項６〜８のいずれか１項に記載のＩＤカード作成システムにより作成されてなることを特徴とするＩＤカード。
【請求項１０】
顔画像を形成してＩＤカードを作成するカード部材をカートリッジに収納してなるカード収納製品であって、
該カートリッジに収納されている個々のカード部材は、該カード部材を識別するためのカード識別情報を記憶した記憶手段を有しており、
かつ、該カートリッジは、収納されている個々のカード部材に付与されたカード識別情報と、該カード部材を用いてＩＤカードを作成する際に該カード部材の記憶手段に付与された情報を記録する記録手段を有するものである、
ことを特徴とするカード収納製品。
【発明の詳細な説明】
【０００１】
【発明の属する技術分野】
本発明は、顔写真入りのＩＤカード作成技術に関し、特にＩＤカードの発行時にカード作成業者により付与される発行履歴に関する情報を有効に活用することを可能にするＩＤカード作成装置及びＩＤカード作成システムに関する。
【０００２】
【従来の技術】
社員証や学生証のような顔写真入りのＩＤカードを作成するカード作成装置については、例えば、特許文献１の段落００９６〜９８に複数種類のカード素材（以下カード部材、生カードともいう）を用いて一般用と特待生用の学生証を発行するＩＤカード作成装置が記載されている様によく知られている。
【０００３】
この様なＩＤカードでは、顔写真がカード所有者本人であることを確認できるレベルの画質を有することが要求され、美しい顔画像を作成するためカード部材上への印刷条件をカードの材質等に合わせて適切に行う試みがこれまでなされてきた。その一例として、特許文献２の段落０００５〜０６には情報記憶部を有する生カードを用い、個人認証情報とともに生カードの処理情報を情報記憶部に記憶させ、これを読み取って適切な画像の形成処理を行うカード作成方法が開示されている。
【０００４】
また、外観形状の異なる複数種類のカード部材より適切なカード部材を選択してカードを作成するためにカード部材の種別情報を記録した手段を設けたカード収納カートリッジがある。例えば、特許文献３の段落００５４〜５９には、カードの種別情報を記録したバーコードを設けバーコードに記録した情報からプリンタの最適な画像形成条件を選択するＩＣカード用のカートリッジが開示されている。
【０００５】
この様に、カード部材に内蔵した記憶手段やカートリッジの識別手段に情報を記録し、この情報から良好な画質を得るための画像形成条件を設定してプリントを行うカード作成装置が存在する。そして、この様なＩＤカードではプリント出力用の画像形成条件の他にカード所有者であるユーザの個人情報や顔画像情報を電子情報として記録し、作成したＩＤカードをクレジットカードの様な商取引に使用する場合には、カードに記録された個人情報等の電子情報をユーザが利用している。
【０００６】
【特許文献１】
特開平７−１７１０３号公報（段落００９６〜９８参照）
【０００７】
【特許文献２】
特開２００２−２６９５２７号公報（段落０００５〜０６参照）
【０００８】
【特許文献３】
特開平１１−２９６６３１号公報（段落００５４〜５９参照）
【０００９】
【発明が解決しようとする課題】
ところで、ＩＤカードの作成時に発行年月日や発行場所、あるいはＩＤカードの品質や性能を保証する有効期限等のカード作成に伴う発行履歴に関する情報も通常カード内のＩＣチップに代表される記憶媒体に記録される。また、これらのカードにはＩＤ番号に代表される個々のカードを識別するための識別情報がカード部材製造時に付与されている。そして、この様なカード作成に伴う発行履歴に関する情報等を有効に活用することができれば、ＩＤカードの品質管理や情報管理に大きな効果を奏するものであると推測される。
【００１０】
例えば、ＩＤカードはクレジットカードの様に商取引に使用されるものや、官庁等の公共機関で発行される重要な個人情報が記録したものがある。この様な重要度の高い情報を記録したカードが、万一、本来の所有者が知らない所で素性の不明確なカード部材を用いてカードが無断発行されたり、偽造や変造されることがあってはならず、発行済みのＩＤカードを安全かつ確実に管理することはとても重要である。この様な高セキュリティ性の要求されるＩＤカードを安全かつ確実に管理することの可能な手だてがあればＩＤカード管理業者の手間を少しでも軽減させられると考えられる。
【００１１】
また、カード管理業者に発行履歴情報をフィードバックすることにより、ＩＤカードの品質や性能上の保証期限に基づく管理も可能になるので、品質保持に伴うカード更新の連絡をカード所有者に行えるといったサービスも可能になる。
【００１２】
また、実際にＩＤカード発行を行うカード作成業者が、所定枚数のカード部材を収納した１つのカートリッジをどの位の期間で使い切るかといったカード消費に関する情報をカード部材製造業者が認知していれば、カード部材の生産管理や在庫管理を効率よく行う手だてになると推測される。この様にＩＤカード作成業者のカード部材消費に関する情報をカード部材製造業者にフィードバックさせることにより、カード部材の需要時期やその時の必要枚数を把握できるので有効であると推測される。
【００１３】
また、発行履歴に関する情報をカード管理業者にフィードバックしておくと、例えば発行済みのＩＤカードの中でカード部材の品質や性能に関連する故障が発生した時、故障発生したカード部材のロット番号と同じあるいは近接するロット番号のカード部材で作成されたＩＤカードに対し、故障に対する対応を迅速に行えると推測される。
【００１４】
この様に、ＩＤカードの記憶手段に記憶されたカード発行業者のカード作成に関する発行履歴情報を有効に活用する体制を構築すると、ＩＤカードのセキュリティ性向上やユーザへのサービスに大きく貢献すると推測され、この貢献により生ずる市場効果は非常に大きいと考えられる。
【００１５】
しかしながら、上述した発行履歴に関する情報を活用するためには、一般にカード所有者が有するＩＤカードの記憶手段から活用することが多く、ＩＤカードが存在しない状態で発行履歴に関する情報を有効に活用する手だては存在しなかった。
【００１６】
本発明は、上記課題を鑑みてなされた。本発明は個々のＩＤカードの発行履歴に関する情報を有効に活用することにより、カードの不正発行や偽変造の問題を発生させることがないＩＤカード作成装置及び作成システムを提供することを目的とする。
【００１７】
また、本発明は、ＩＤカード作成時の発行履歴に関する情報をカード部材製造業者やカード管理業者といった関連業者にフィードバックするというカード作成時の発行履歴に関する情報の活用を可能にすることにより、これらのカードビジネス関連業者の業務を効率化、及び軽減化させるとともに高セキュリティ性を有するカードの安全かつ確実な管理体制を可能にするＩＤカード作成装置作成システムを提供することを目的とする。
【００１８】
【課題を解決するための手段】
本発明者等は、ＩＤカード作成時にカード部材の記憶手段に記録された発行履歴に関する情報を取り込む記録手段を設けることを検討し、カード収納用のカートリッジに着目した。
【００１９】
そして、カード部材を収納するカートリッジにＩＣチップなどの記録部材を設け、カートリッジに電子情報を記録する機能を付与することにより、ＩＤカード作成時にカード部材に付与された情報をカートリッジに記録させることにより、カード発行時における個々のカードの発行履歴に関する情報の有効活用を可能にした。
【００２０】
本発明は、以下に記載の構成よりなるＩＤカード作成装置あるいはＩＤカード作成システムにより達成される。
【００２１】
請求項１に記載の「記録手段を有するカートリッジより供給される記憶手段を有するカード部材に顔画像を出力してＩＤカードを作成するＩＤカード作成装置であって、該ＩＤカード作成装置は、該カード部材の記憶手段と該カートリッジの記録手段に情報を付与する情報付与手段と、該カード部材上に画像出力を行う出力手段と、該情報付与手段による情報付与と該出力手段による画像出力を制御し、かつ、該カード部材の記憶手段に付与した情報を該カートリッジの記録手段に付与するように制御する制御手段を有することを特徴とするＩＤカード作成装置。」
請求項６に記載の「記録手段を有するカートリッジに収納された記憶手段を有するカード部材に顔画像を出力してＩＤカードの作成を行うＩＤカード作成システムであって、該ＩＤカードの作成を行う時に、該カード部材の記憶手段と該カートリッジの記録手段に情報を付与して該カード部材に画像出力を行い、該カートリッジの記録手段に、該カード部材の記憶手段に付与した情報を記録することを特徴とするＩＤカード作成システム。」
上記の様に、本発明はＩＤカード作成時にカード部材の記憶手段に記録された情報をカートリッジの記録手段にも記録させて、カートリッジの記録手段に記録した情報を用いて個々のカードの発行履歴に関する情報の活用を可能にした。
【００２２】
したがって、本発明ではカード作成業者がＩＤカードを作成する時にカード部材に付与した発行履歴等の情報をカード部材製造業者やカード管理業者にフィードバックしてカード部材の生産計画や在庫管理等のカード部材生産に関する管理や発行済みのＩＤカードの管理の効率化を可能にする。
【００２３】
なお、本発明に記載される「発行履歴に関する情報」とは、ＩＤカードの作成記録に関する情報で、具体的にはＩＤカードの発行年月日や発行場所、発行担当者名等の情報や、カードの品質や性能を保証するための有効期限等の情報が挙げられる。
【００２４】
また、本発明では、前述のカートリッジに収納されている個々のカード部材に付与されている識別情報にも着目した。この識別情報とは、カートリッジに収納されている個々のカード部材を識別するために付与される情報で、カード部材の製造時に各々のカード部材に対し例えばＩＤ番号の様な形態で独自情報を付与している。
【００２５】
本発明では、個々のカード部材を識別するための識別情報をカートリッジの記録手段にも記録する。そして、ＩＤカード作成時にカード部材に記憶される情報をカートリッジの記録手段にも記録させる際、個々のカード部材に付与された識別情報に対応させてＩＤカード作成時に付与された情報を記録する。
【００２６】
すなわち、請求項４に記載の「前記制御手段は、前記カード部材の記憶手段に付与された情報を前記カートリッジの記録手段に記録する時に、個々のカード部材に付与されている識別情報に対応して、前記カード部材の記憶手段に付与された情報を該カートリッジの記録手段に付与するように制御することを特徴とする請求項１〜３のいずれか１項に記載のＩＤカード作成装置。」
あるいは、請求項７に記載の「前記カートリッジの記録手段には、該カートリッジに収納される個々のカード部材を識別する識別情報が記録されており、該カートリッジの記録手段に記録される前記カード部材の記憶手段に付与された情報を該識別情報に対応して記録することを特徴とする請求項６に記載のＩＤカード作成システム。」である。
【００２７】
上記の構成によれば、例えばカートリッジの記録手段に識別情報が記録されていないカード部材が何らかの理由でカートリッジに混入した時、カートリッジに記録されていない素性の不明確なカード部材に情報を記録してＩＤカードの作成を行うことが回避できる。したがって、製造段階よりメーカサイドできちんと管理されてきたカード部材のみがＩＤカード発行に供されるので、性能の確保された高品質のＩＤカードの提供を可能にする。
【００２８】
また、ＩＤカード作成時にカード部材に付与した情報とカード部材を識別する識別情報とが一対一対応して記録されているので、カートリッジに収納されているカード部材にどの様な情報が付与されてＩＤカードとなっているかを正確に追跡することが可能になる。したがって、ＩＤカードをみだりに二重発行したり、ＩＤカードを偽造変造する行為を防止する手だてとなり、ＩＤカード発行時における高セキュリティ性、ならびに発行済みのＩＤカードを管理する上でも高セキュリティ性が付与され、ＩＤカードのセキュリティに対する安全性を向上させることが可能である。
【００２９】
また、本発明ではカートリッジに設けた記録手段に記録された情報を活用することにより、ＩＤカード作成業者により個々のカード部材がいつ頃ＩＤカード作成に使用されたかという発行日時の情報や、どのプリンタを使用してＩＤカードを作成したか、またその時の出力条件はどうだったかといった発行履歴の情報、あるいは１カートリッジをＩＤカード作成業者がどの位の期間で使い切るかといった消費情報などの情報をカード部材製造業者にフィードバックすることも可能である。
【００３０】
すなわち、請求項８に記載の「前記カートリッジを回収し、回収したカートリッジにカードを再度装填して前記ＩＤカード作成システムにカードの供給を行うとともに、回収したカートリッジの記録手段に記録された発行済みカードの発行履歴に関する情報を収集し、収集した情報を記録、管理する、ことを特徴とする請求項６または７に記載のＩＤカード作成システム。」によれば、カートリッジの記録手段に例えば１つのカートリッジに収納されたカード部材を全て使用するまでに要した期間や、個々のカード部材がいつＩＤカード発行に使用されたかという発行日時の情報、作成に使用された個々のプリンタ情報、さらにはプリント時に設定されたプリンタの出力条件といった発行履歴に関する情報を記録して、ＩＤカード作成業者がカード作成を行った時の発行履歴に関する情報をカード部材製造業者にフィードバックすることが可能である。
【００３１】
そして、カード作成業者からの発行履歴に関する情報をカード製造業者は利用可能になるので、カード部材の生産計画や在庫管理、及び流通管理を効率よく行うことが可能になる効果が期待される。
【００３２】
また、上記構成によりカード作成時の情報をカード管理業者にフィードバックすることが可能なので、例えば発行済みのＩＤカードで故障発生が報告された時に、故障カードのカード部材ロット番号から該当ロット番号の全てのＩＤカードに対して迅速なトラブル対応を行うことが可能であり、トラブル発生に伴うカード管理業者への管理に対する負担を軽減させることが可能である。
【００３３】
また、本発明では、請求項５に記載の様に、カートリッジの記録手段として、ＩＣチップを用いることにより、容積の小さな記録媒体を用いるので記録媒体の搭載によりカートリッジの容積をいたずらに大きくすることがなくコンパクト性が確保される。また、ＩＣチップをカートリッジ中に埋め込んで使用することも可能で、バーコードのシールの様に媒体を貼付するものではないのでカートリッジを繰返し使用しても記録媒体が剥がれたり破損することがない。したがって記録媒体の耐久性の視点からも好ましい。
【００３４】
また、本発明では、請求項９に記載される上記ＩＤカード作成装置あるいはシステムにより作成されてなるＩＤカードにより、ＩＤカードの不正発行や偽変造の問題が発生せず、高度な安全性の確保された状況で管理されるＩＤカードの提供を可能にする。
【００３５】
さらに、本発明では、請求項１０に記載されるカード収納製品を使用することにより、ＩＤカード発行時にカード部材に付与される発行履歴に関する情報をカートリッジの記録手段を介して活用することにより、ＩＤカードの不正発行や偽変造問題を回避するカード発行体制を確立する。また、カード作成時の履歴情報をカード製造業者やＩＤカード管理業者に提供し、カード部材の生産やＩＤカードの管理を安定かつ確実に実施することを可能にした。
【００３６】
【発明の実施の形態】
以下、本発明について詳細に説明する。
【００３７】
本発明は、情報記憶手段を有するカード部材を用いて顔写真入りのＩＤカードを作成する技術で、ＩＤカード発行時におけるカードの発行履歴に関する情報を有効に活用することが可能なＩＤカード作成技術に関する。
【００３８】
すなわち、本発明はＩＤカード作成用のカード部材を収納するカートリッジに情報記録手段を設け、該記録手段にカードに付与した情報を記録させて、この記録手段に収録されたカードの情報を活用することにより達成される。
【００３９】
カード収納用のカートリッジに情報を記録することの可能な記録手段を設け、該記録手段にＩＤカードの作成時にカードに付与される発行履歴などの情報を記録して記録した情報を活用することにより、発行された個々のＩＤカードに記憶された発行履歴に関する情報を管理することが可能である。
【００４０】
本発明に係るＩＤカード作成技術とは、概ね次のような内容から構成される。先ず、ＩＤカード作成用の生カードを収納するカートリッジにはＩＣカードメモリやＩＣチップなどの認証タグが設けられ、生カードをカートリッジに収納する時に、カード製造時に各カードに付与された認証情報やカートリッジに収納したカードの種別といったカード情報を認証タグに記録する。
【００４１】
次に、このカートリッジをＩＤカード作成装置に装填した時、認証タグに記録した前述の情報をＩＤカード作成装置に読み取らせ、認証タグに記録した情報を活用して生カード上へのプリントを行う。
【００４２】
さらに、前述のカートリッジに設けられた認証タグに、ＩＤカード作成時に各カードの記憶手段に付与されるカードの発行履歴に関する情報を記録する。
【００４３】
そして、カートリッジの認証タグに書き込んだこれらの情報を例えばカード部材製造業者等によりデータベース化し、ネットワーク化してカートリッジに記録した情報を活用することを可能にする。
【００４４】
この様に、本発明はＩＤカード用のカード部材を収納するカートリッジにＩＤカード発行時の発行履歴に関する各種情報を記録させて、ＩＤカード発行時にカードに付与される情報のフィードバックして、ＩＤカードに記録された情報の有効活用を可能にする。
【００４５】
また、本発明はＩＤカード用のカード部材を収納するカートリッジの記録手段に個々のカード部材に付与されているカード識別情報を記録し、ＩＤカード作成時の発行履歴情報を予め記録したカード識別情報にリンクさせて記録することが可能である。その結果、カード作成に供された個々のカード部材に記録された具体的な発行履歴内容を管理することが可能になり、例えば発行済みのＩＤカードが偽造変造された時にそれを見破ったり、またユーザに無断でＩＤカードが発行された場合でも無断発行された証拠を突き止めることが可能になる。
【００４６】
この様に、本発明は、カートリッジの記録手段に個々のカード部材のカード識別情報とＩＤカード作成時の発行履歴をリンクして記録することが可能なので、ＩＤカード犯罪を防止する可能性を有する高セキュリティのＩＤカード作成システムの提供を可能にする。
【００４７】
以下、図面を参照しながら、本発明の実施形態に係るＩＤカード作成装置、ＩＤカード作成システム、及び該ＩＤカード作成装置や該ＩＤカード作成システムで発行されるＩＤカードについて説明する。
【００４８】
最初に、本発明に係るＩＤカード作成システムの全体像を説明する。
図１は、本発明に係るＩＤカード作成システム全体の概要を示す模式図で、本発明に係るＩＤカード作成システム１０１は図１中上方の破線領域Ａのカートリッジ部、図中真ん中の破線領域ＢのＩＤカード発行部、図中下方の破線領域Ｃの情報供給部より構成される。
【００４９】
なお、図中の白抜きの矢印は、カード部材（生カードともいう）３０′上に情報を付与してＩＤカード３０を作成するカード部材３０′の動きを、実線の矢印はＩＤカード作成に伴う各種情報の動きを、そして破線白抜きの矢印はカートリッジ１０の動きを示す。
【００５０】
図１には本発明に係るＩＤカード３０の作成に伴う各種情報が記号で表されている。ＩＤは本発明に係るＩＤカードを所有することになるユーザ（以下発行要求者ともいう）個々に独自に付与されるＩＤ番号で、具体的には学籍番号や社員番号等が挙げられる。Ｄ１はユーザの住所、氏名、生年月日、所属などの個人情報で通常文字や記号あるいは数字で表記される情報である。Ｄ２はユーザの顔画像データである。ＰＤはカード上にプリント出力用の画像情報、ＣＤはカード部材を製造する時に個々のカードに独自に付与したカード識別情報である。
【００５１】
カートリッジ部Ａは、ＩＤカード作成装置２００に装填されるカード収納製品の動きを説明しており、カートリッジ１０内に収納されるカード部材３０′の消費に伴うカートリッジ１０の流通を含めた動きを示している。
【００５２】
カード収納製品を構成するカートリッジ１０は記録手段２０を有しており、カートリッジ内に収納されているカード部材３０′のカード織別情報ＣＤが記録され、さらにＩＤカード作成時に発行履歴に関する情報が記録される。
【００５３】
カード収納製品を構成するカートリッジ１０内に収納されるカード部材３０′はＩＤカード３０を作成するための材料で内部に情報記憶用の記憶手段２４を有している。カード部材３０′をＩＤカード作成装置２００に供給すると記憶手段２４にはカード面に出力される個人情報や顔画像情報と同じ情報が電子情報として記憶される。
【００５４】
本発明に係るカード収納製品を構成するカートリッジ１０へのＩＤカード作成時の発行履歴に関する情報の付与、及び情報の活用は以下のように行われる。
【００５５】
図１でカートリッジ（Ｓ）は、カートリッジ１０がＩＤカード作成装置２００に装填されてカートリッジ１０内のカード部材３０′をＩＤカード作成に供給している状態を表す。
【００５６】
ＩＤカード作成装置２００でカード部材３０′上に画像形成が行われ、同時に記憶手段にユーザ識別番号ＩＤ、個人情報Ｄ１、顔画像情報Ｄ２及び発行履歴情報ＭＤが記録されている時、カートリッジ１０の記録手段２０に各カードのカード識別情報ＣＤに対応する様に発行履歴情報ＭＤが記録される。
【００５７】
図中のカートリッジ（Ｅ）は、カートリッジ１０内のカード部材３０′が全てＩＤカード作成に消費されカートリッジ１０の内部が空っぽになった状態を表す。カートリッジ（Ｅ）の状態では、カートリッジ１０はメーカーあるいはリユース業者により回収される。回収した使用済みカートリッジ１０の記録手段２０にはカートリッジ１０に収録されていた個々のカード部材３０′のカード識別情報ＣＤに対応してＩＤカード３０として発行されたカードに記録された発行履歴情報ＭＤが記録されている。
【００５８】
そして、記録手段２０に納められたカード識別情報ＣＤと発行履歴情報ＭＤとを取り出して、発行履歴情報サーバ１４に収録する。本発明では発行履歴情報サーバ１４に収録した情報を活用することにより、カートリッジ１０の記録手段２０に収録したＩＤカード３０に付与した発行履歴に関する情報の活用を可能にする。図７に、本発明に係るＩＤカード作成システムにおける発行履歴情報サーバ１４に記録したカード識別情報ＣＤと発行履歴情報ＭＤをカード部材製造業者やカード管理業者に情報提供を行う状態の一例を示す。図７に示す様に、カード部材製造業者やカード情報管理業者は、パーソナルコンピュータ等の手段を介してネットワーク上に接続された発行履歴情報サーバ１４にアクセスすることでカード識別情報ＣＤと対応している発行履歴情報ＭＤを確認することが可能である。
【００５９】
記録手段２０に収録された情報を発行済みカードのデータベースサーバに移した後、記録手段２０内のデータを削除し初期化して次のリユースに備える。
【００６０】
カートリッジ（Ｆ）は、記録手段２０を初期化した後にカートリッジ１０内に新たにカード部材３０′を装填するとともに記録手段２０には装填したカード部材３０のカード識別情報を記録させ、カード収納製品としてカード作成装置２００に再度供給可能な状態を表す。
【００６１】
そして、カートリッジ（Ｆ）のカード収納製品は、ＩＤカード作成装置２００に装填されてカード部材３０を供給し、同時にカートリッジ１０の記録手段２０にはＩＤカード作成時における個々のカードの発行履歴に関する情報が記録され、収納されたカード部材を使い切った時に回収とともに記録手段２０の情報を発行済みカードのデータベースサーバ１４に収録し管理する。
【００６２】
この様に、本発明では図１のカートリッジ部Ａで示すような、カード収納製品の物流が行われている。
【００６３】
ＩＤカード発行部Ｂは、図中の白抜きの矢印で示す様に、カートリッジ１０より供給されたカード部材３０′に後述する情報供給部Ｃから供給される個人識別情報ＩＤ、個人情報Ｄ１、顔画像情報Ｄ２を付与し、カード部材３０′上にプリントを行って最終製品であるＩＤカード３０を発行する。
【００６４】
ＩＤカード発行部Ｂは、カード部材３０′内の記憶手段２４に個人識別情報ＩＤ、個人情報Ｄ１、顔画像情報Ｄ２を電子情報として書込みを行う情報付与手段である情報付与部５０とこれらの情報をカード部材３０′上にプリント出力する出力手段である画像形成装置６０（プリンタ）、及び情報供給部Ｃより個人識別情報ＩＤ、個人情報Ｄ１、顔画像情報Ｄ２を取り込み、前述の情報付与部５０に転送したり、これらの情報を加工してプリント出力用のデータＰＤとし画像形成装置５０に供給するといった情報の制御を行う制御手段である制御部４０より構成される。
【００６５】
情報供給部Ｃは、ＩＤカード作成に必要な情報、すなわち、ＩＤカードが配布されるユーザの住所、氏名、生年月日といった個人情報Ｄ１、学籍番号や社員番号の様に各ユーザ個々に独自に付与される個人識別情報ＩＤ、ユーザの顔画像情報Ｄ２を供給するところである。
【００６６】
個人識別情報ＩＤや個人情報Ｄ１は、カード作成依頼書１５にユーザが記入した内容をオペレータがＩＤカード作成装置２００のコンピュータ４０に直接入力する方法や、既にデータベース上に記録されているものであれば個人情報データベースサーバ１６よりコンピュータ４０に供給される。なお、前述のカード作成依頼書１５にユーザ記入した情報もコンピュータ４０で取り込む際に自動的に個人情報データベースサーバ１６に転送されてデータベース化されるものが好ましい。
【００６７】
顔画像情報Ｄ２は、個人識別情報ＩＤを介在させた状態で撮影装置１１により直接顔画像を撮影して顔画像情報Ｄ２を得るものや、スキャナー１２により前述のカード作成依頼書に貼付されている証明写真を読み取り顔画像情報Ｄ２を得る方法が挙げられる。
【００６８】
なお、ＩＤカード作成装置２００の制御部であるコンピュータ４０と、個人情報データベースサーバ１６、発行済みカードのデータベースサーバ１４とはスーパーデジタル回線等の通信回線、あるいは無線回線などのネットワークに接続されている。
【００６９】
次に、本発明に係るＩＤカード作成装置について説明する。図２は本発明に係るＩＤカード作成装置２００の具体例を示す模式図である。
【００７０】
本発明に係るＩＤカード作成装置２００は、制御手段であるコンピュータ４０と、カード部材３０′に内蔵される記憶手段２４にＩＤカード作成時の発行履歴を書き込む情報付与手段である情報付与部（カードリーダライタ）５０と、カード部材３０′上にプリントを行う出力手段である画像形成装置（プリンタ）６０より構成される。
【００７１】
制御手段であるコンピュータ４０は、情報供給部Ｃを構成する各データベースサーバから個人識別情報ＩＤと個人情報Ｄ１を、撮影装置から個人識別情報ＩＤとリンクさせた顔画像情報Ｄ２を取り込み、これらの情報を情報付与部５０に転送してカード部材３０′内の記憶手段２４に書き込む。
【００７２】
また、コンピュータ４０では、これらの情報からカード部材３０′上に形成されるプリント用の画像データＰＤを作成し画像形成装置（プリンタ）６０に供給して画像の出力を行わせている。この様にコンピュータ４０ではＩＤカード作成時における個人識別情報ＩＤ、個人情報Ｄ１、顔画像情報Ｄ２といったカードに付与する情報の制御を行っている。
【００７３】
このコンピュータ４０は、キーボード４１、液晶表示モニタ４２、及び制御装置４３から構成されている。キーボード４１はＩＤカード３０に個人識別情報ＩＤや個人情報Ｄ２及び操作情報Ｄ４などの情報をコンピュータ４０に入力するときにオペレータが使用する。液晶表示モニタ４１にはＩＤカード所有者となるユーザの個人情報Ｄ１等が表示されるようになされる。オペレータはユーザの住所、氏名、生年月日等を表示画面上で確認することができる。
【００７４】
コンピュータ４０には、本発明に係るＩＤカード作成装置２００を構成する情報付与手段の一例であるカードリーダライタ５０及びカートリッジ用リーダライタ５０′が接続され、ＩＤカード作成時に、カード部材３０′に内蔵される記憶手段２４への電子情報の書込みを行っている。
【００７５】
本発明に係るＩＤカード作成装置２００は、前述の様にカードリーダライタ５０の他にカートリッジ１０の記録手段２０に電子情報の書込みを行うカートリッジ用リーダライタ５０′を有しており、カードの記憶手段２４に書き込んだＩＤカード作成時の発行履歴情報と同じ情報をカートリッジ１０の記録手段２０にも書き込んでいる。なお、情報付与手段はカードの記憶手段２４への書込みとカートリッジ１０の記録手段２０への書込みを兼用して行うものであってもよい。
【００７６】
情報付与手段であるカードリーダライタ５０によりＩＤカード用のカード部材３０′内の記憶手段２４内に個人識別情報ＩＤ、個人情報Ｄ１及び顔画像情報Ｄ２を記録した後に、カードリーダライタ５０の読出し機能を用いて、このカード部材３０′の記憶手段である電子部品２４の検査を行い、カード部材３０′に記録した情報が正しく記録されていることを確認する。
【００７７】
同様にカートリッジ１０の記録手段２０の電子部品についても検査が行われ、記録された情報がカートリッジ１０に収納していたカード部材３０個々に付与されたカード識別情報ＣＤに対応して正しく書き込まれていることを検査する。
【００７８】
本発明に係るＩＤカード作成装置２００は、コンピュータ４０に撮影装置１１及び画像の出力手段である画像形成装置（プリンタ）６０を接続している。撮影装置１１はユーザの顔部位を撮影して顔画像情報Ｄ２を出力する。撮影装置１１にはカラー用の静止画用デジタルカメラや、動画用ビデオカメラが使用され、赤色、青色、緑色の３色の色信号Ｒ，Ｇ，Ｂや、輝度信号Ｙなどのコンポジット信号を出力するものが好ましい。
【００７９】
出力手段である画像形成装置（プリンタ）６０では、生カード３０′上に文字画像からなる個人情報Ｄ１と顔画像情報Ｄ２の画像出力を行い、ＩＤカード３０を作成する。
【００８０】
画像形成装置６０は、所定形状で所定の大きさを有した筐体６１を備えている。筐体６１の内部にはカード部材３０′を収納したカートリッジ１０が装填され、図では例えば３種類のＩＤカード用のカード部材３０′が装填されるようになっている。各々のカード部材３０′は予め枚葉状にカットされており、顔画像形成領域面を上に向けてストックされている。
【００８１】
カード部材３０′には後述するように記憶手段でる電子部品２４が内蔵されている。第１種類のカード部材３０′はカートリッジ１０−１に収納されており、第２種類のカード部材３０′はカートリッジ１０−２に収納され、第３種類のカード部材３０′はカートリッジ１０−３に収納されている。ユーザのＩＤカード作成条件（例えば性別、所属職場、役職等の条件）に基づいて使用するカード部材３０′を選択するためにこの様に複数種類のカード部材３０′が用意される。
【００８２】
なお、画像形成装置（プリンタ）６０は、カートリッジ１０−１〜１０−３の記録手段２０に対向するようにリーダライタ装置５０′が配置されており、リーダライタ装置５０′によりカートリッジ１０−１〜１０−３の記録手段には、個々のカード部材３０の発行履歴に関する情報がカード識別情報と対応して記録される。カートリッジの記録手段２０にはカード発行時の発行履歴に関する情報ＭＤが既に記録されているカード識別情報ＣＤと対応して記録される。
【００８３】
リーダライタ装置５０′はカートリッジ１０の記録手段２０に書き込んだこれらの電子情報の読出す機能を有するものであってもよい。
【００８４】
また、カード部材３０′の記録手段２０への情報書込みはカードリーダライタ装置５０によって行われる。リーダライタ装置５０は、ユーザの個人情報Ｄ１、顔画像情報Ｄ２及び個人識別情報ＩＤ等の電子情報はカード部材３０′内の記憶手段であるＩＣチップ２４に書き込む。仮にカード部材３０の記憶手段２４に不具合があって電子情報の書込みができないことが見出された場合には、カードリーダライタ５０の下方に廃棄カードストッカー６４を設け、不良品のカード部材３０′を排出する。
【００８５】
リーダライタ５０の下流側には搬送ローラ６５等が設けられ、電子情報ＩＤ＋Ｄ１＋Ｄ２を記憶手段２４に記録したカード部材３０′を画像形成部６３の方へ搬送するようになされる。この画像形成部６３の下部には搬送ベルト装置６６が設けられ、例えば、タンデム方式の画像形成部６３を構成するイエロー色用の画像形成ユニット（以下でＹ色画像形成ユニットという）６３１、マゼンタ色用の画像形成ユニット（以下でＭ色画像形成ユニットという）６３２、シアン色用の画像形成ユニット（以下でＣ色画像形成ユニットという）６３３、Ｐ色画像形成ユニット６３４及び白黒用の画像形成ユニット（以下でＫ色画像形成ユニットという）６３５にカード部材３０′を搬送するようになされる。
【００８６】
各々のユニットには図示しない複数画面分のバッファメモリが設けられ、ユーザの顔画像データＤ２や文字情報である個人情報Ｄ１が格納（セット）される。また、これらのユニット内にはインクリボンやサーマルヘッドなどが備えられる。
【００８７】
この搬送ベルト装置６６の下流側にはカード落下部６７が設けられ、情報記録と画像形成を完了したカード部材３０′の顔画像形成領域面が上に向いて落下するように姿勢が制御されて、カード部材３０′が下方の保護層形成部ＨＳ１〜ＨＳ２に導かれる。保護層形成部で処理後、ＩＤカード３０が完成する。
【００８８】
次に、本発明に係るＩＤカード作成システムにおけるＩＤカード作成手順を図３のフロー図にしたがって説明する。本発明では、カード部材３０′上の所定面にＩＤカード所有者となるユーザの顔画像及び文字画像を形成するとともに、カード部材３０′内の記憶手段２４にこれらの画像に対応する電子情報を記録してなるＩＤカード３０を作成する。
【００８９】
先ず、ＩＤカード所有者となる発行要求者の顔画像情報Ｄ２や個人情報Ｄ１が電子情報の形態で前述の情報供給部Ｃより供給され、これらの電子情報をＩＤカード作成装置２００の制御手段であるコンピュータ４０に取り込まれる（ステップＳ１）。この時ユーザの顔画像情報Ｄ２及びユーザの個人情報Ｄ１にはそれぞれ個人識別情報ＩＤが付加されている。従って、ステップＳ１では、顔画像情報Ｄ２、個人情報Ｄ１とともに個人識別情報ＩＤもコンピュータ４０に取り込まれる。
【００９０】
次に、コンピュータ４０に取り込まれた個人情報Ｄ１、顔画像情報Ｄ２及び個人識別情報ＩＤを情報付与手段であるリーダライタ５０によりカード部材３０′内の記憶手段に書込みこれらの電子情報を記憶させる（ステップＳ２）。
【００９１】
前述の図２では電子情報のカード部材３０′への書込みを行う工程を画像形成部６３によるプリント工程の前段で行うようにリーダライタ５０を配置した装置が記載されているが、この様にカード部材３０′への情報付与工程をカード上への画像形成工程の前段に配置することにより、カード部材３０′へのプリント出力前の段階で個人情報Ｄ１及び顔画像情報Ｄ２がカード部材３０′に正確に記録されているかを確認することができるので好ましい。
【００９２】
すなわち、カード部材３０′の記憶手段２４に書き込んだ電子情報の読出しを行うこと（ステップＳ３）により、カード部材３０′に書込んだ電子情報が正常に読出されることが確認される（ステップＳ４）ので、カード部材３０′に内蔵される記憶手段２４を構成する電子部品の動作確認が行われる。
【００９３】
この動作確認ではカード部材３０′から読み出したユーザの電子情報を被比較情報とし、カード部材３０′に書き込んだユーザの個人情報Ｄ１と顔画像情報Ｄ２を期待値情報とし、この被比較情報と期待値情報とが一致するかをコンピュータ４０あるいはプリンタに内蔵される制御装置８０により評価する。
【００９４】
この評価結果で書き込んだ情報と読み出した情報とが一致しない場合（ステップＳ４のＮｏ）は、カード部材３０′内の記憶手段２４に不良があると判断され、この様なカード部材３０′上にはプリント出力を行わずに廃棄ストッカ６５に排出し（ステップＳ６）、改めて別のカード部材３０′を用いて電子情報の書込みを行う（ステップＳ２）。
【００９５】
評価結果で書き込んだ情報と読み出した情報とが一致した場合は、カード部材３０′の情報の書込みと読出しが正常に機能すると評価され、次にカード部材３０′を収納したカートリッジ１０に設けられた記録手段には発行履歴に関する情報の書込みを行い（ステップＳ５）、書き込んだ電子情報の読出しを行って（ステップＳ７）、記録手段への電子情報の書込みや読出しが正常に動作することを確認する（ステップＳ８）。
【００９６】
なお、発行履歴に関する情報の書込みや読出しが正常に行われない場合（ステップＳ８のＮｏ）に備えてカートリッジ１０に設けられる記録手段２０を複数個有するものや、カートリッジ１０に後付け可能なものであってもよく、仮に記録手段２０が破損した場合でもＩＤカード作成時にカードに付与された発行履歴を確実に記録することが可能である。
【００９７】
カートリッジ１０の記録手段２０が正常に機能することが確認された場合（ステップＳ８のＹｅｓ）は、カード部材３０上に画像形成を行い（ステップＳ９）、カード部材３０′から読み出された顔画像情報Ｄ１及び文字情報Ｄ２と同じ内容の情報をカード部材３０′の所定面に顔画像及び文字画像として画像形成する。
【００９８】
カード部材３０′上の所定の面には、画像形成手段（プリンタ）６０によりユーザの顔画像情報Ｄ２がプリントされ、個人識別情報ＩＤ、顔画像、氏名、住所、生年月日等の個人情報Ｄ１及びＩＤカード３０の発行年月日及び有効期限等が文字情報としてプリントされた後、カード部材３０′上の画像形成面を被覆保護するための処理が行われる。
【００９９】
なお、カード部材３０′上への画像形成は、コンピュータ４０により個人情報Ｄ１等の文字情報と顔画像情報Ｄ２とを合成してプリント出力用のデータＰＤを作成して、このプリント出力用データＰＤをプリンタ６０に供給して画像形成を行うものであったり、カード部材３０′内の記憶手段２４に記録した電子情報から電子情報を取り出してカード面上に顔画像や文字画像を形成するものでもよく、画像形成方法を特に限定されるものではない。
【０１００】
この様にして、本発明に係るＩＤカード作成システムでは、カード部材３０′に記憶手段２４を内蔵したカード上にＩＤカード所有者となるユーザの個人情報Ｄ１や個人識別情報ＩＤといった文字情報と顔写真画像Ｄ２をプリント出力したＩＤカードを作成する。
【０１０１】
そして、最終的にカード作成が正常に終了したことを確認し（ステップＳ１０）、正常に終了したと確認されると（ステップＳ１０のＹｅｓ）、本発明に係るＩＤカード作成システムによるＩＤカードの作成は終了する。
【０１０２】
なお、図３のフロー図は、カード上への文字情報、顔画像情報の出力を行う前に、発行履歴情報をカートリッジ１０の記録手段２０に記録し、記録した情報を確認する操作を行うものであるが、カード上に文字情報や顔画像情報を出力しカードの発行を終えた後に発行履歴情報をカートリッジ１０の記録手段２０に記録するものであってもよい。
【０１０３】
次に、本発明に係るＩＤカード作成用のＩＣカード収納製品を説明する。図４は本発明に係るカード収納製品を示す模式図で、（ａ）に示す様にカートリッジ１０内には複数枚数のＩＣカード部材３０′が収納されている。図中の１１はおもりである。図４（ｂ）に示す様にカートリッジ１０は、カートリッジ内に収納されている個々のカード部材を識別するために付与されるカード識別情報ＣＤとＩＤカード発行時に付与される発行履歴に関する情報を電子情報として記録する記録手段２０を有する。
【０１０４】
記録手段２０は、カード部材３０′（ＩＣカード）の製造時に個々のカード部材３０′に付与される個々のカード部材を識別するためのカード部材識別情報ＣＤと、ＩＤカード作成時にカード部材３０′に付与されるカードの発行年月日や発行場所、カード部材の品質や性能を保証する期限、あるいは顔画像出力用のプリント条件やＩＤカード作成担当者名などの発行履歴に関する情報を記録する。
【０１０５】
図４（ｂ）に示す様に、カートリッジ１０は、画像形成装置内に装填された時に、装置に配置されたカートリッジ用のリーダライタ５０′と記録手段２０との間で情報のやりとりを行うことが可能である。
【０１０６】
本発明に係るＩＤカード作成用のカード部材３０′は記憶手段２４を内蔵するが、通常ＩＣカードと呼ばれるカード内部にＩＣチップを内蔵してなるカードが好ましく使用される。
【０１０７】
また、カートリッジ１０に設けられる記録手段２０は、上記の各種情報の読出しや書込みあるいは削除を行うことが可能なものであれば特に限定されるものではないが、具体的な記録媒体としてはＩＣチップや磁気ストライプ等が挙げられる。そのなかでもＩＣチップはカートリッジ１０内に埋め込む等の対応が可能なので、記録手段２４の搭載によりカートリッジ１０の形状を局所的に変更することがないことや情報の読出しや書込みを非接触方式で行うことが可能なので接触方式の記録手段の場合よりも記録手段に損傷を与えない点からも好ましい。
【０１０８】
また、本発明に係るＩＤカード作成用のＩＣカードを収納するカートリッジ１０には、特開平１１−２９６６３１号公報に記載されるようなカートリッジに帯電防止加工を施して、カートリッジ１０に収納されるＩＣカード３０′のＩＣユニット２４のＩＣ部品やカートリッジ１０に設けた記録手段２０を構成するＩＣ部品の静電気による影響を防止することが好ましい。
【０１０９】
この様に、本発明に係るＩＤカード作成用のカード収納製品は、カートリッジ１０に設けた記録手段２０にカートリッジ１０に収納された個々のカードが有するカード識別情報ＣＤと個々のカードの発行年月日や発行場所等の情報をＩＤカード作成者、あるいはカード部材製造メーカやＩＤカード管理業者にフィードバックすることが可能である。
【０１１０】
次に、本発明に係るＩＤカード作成装置で作成されるＩＤカード３０について説明する。図５は本発明に係るＩＤカード３０が従業員証の場合で、ＩＤカード３０の上部を保護する保護シートを除いたＩＤカード３０の積層構造例を示す模式図である。
【０１１１】
カード部材３０′上の所定面には、画像形成手段６０によりユーザの個人識別情報ＩＤ、氏名、住所、生年月日等の個人情報Ｄ１とＩＤカード３０の発行年月日及び有効期限等の文字情報が文字画像情報領域Ｐ３に、顔画像情報Ｄ２が顔画像形成領域Ｐ４にプリントされる。その後、顔画像等の画像形成されたカード部材３０′の画像形成面を前述の保護シート５１により被覆して保護する。
【０１１２】
このＩＤカード３０は、電子カードの一例であり顔画像情報取得用の撮影装置１５で得られたユーザの顔画像情報Ｄ２を記憶するとともに、ユーザに係る文字情報である個人識別情報ＩＤと個人情報Ｄ１とを併せて記憶する記憶手段２４を有している。
【０１１３】
図５に示す様に、本発明で作成されるＩＤカード３０は、上層の保護シート５１及び中層の接着部材２２Ａ、２２Ｂを除いて大きく分けると裏面シート２１と、電子部品２４と、表面シート２５の３層構造を有する。
【０１１４】
次に、本発明に係るＩＤカード作成システムで使用される情報付与手段であるリーダライタ５０及び５０′について説明する。図６は本発明で好ましく使用されるリーダライタの内部構成例を示すブロック図である。このリードライト機能はＩＤカードを作成する出力手段である画像形成装置（プリンタ）６０の記録生成装置としても適用される。
【０１１５】
図６に示すリーダライタ５０は、本発明で使用される情報付与手段の一例であり、ＩＤカード３０内に設けられた記憶手段であるＩＣチップ２４Ａにユーザの個人識別情報ＩＤ、個人情報Ｄ１及び顔画像データＤ２の書込みを行い、さらにそれを読み出す機能を有している。なお、図６のリーダライタ５０はＩＤカードを挿入して情報の書込みを行うものであるが、本発明におけるカートリッジ用のリーダライタ５０′は、図４（ｂ）に示す様に、カートリッジ１０の記録手段であるＩＣチップ２０と対向させて情報の書込みを行う。例えば、カード部材３０′をカートリッジ１０に収納する際にカード識別情報ＣＤを書き込み、さらにＩＤカード作成時に前述の発行履歴に関する情報ＭＤを書込む。
【０１１６】
本発明で使用されるカード部材３０′用のリーダライタ５０とカートリッジ１０の記録手段２０用のリーダライタ５０′は、図６に示す様にリードライト部７０と情報書込み読出し制御部７１を有している。
【０１１７】
図６は、カード部材用のリーダライタ５０を示しているが、カードリードライト部７０はカード挿入側が凹状を成したスライド部７２を有しており、ＩＤカード３０がスライド挿入される。このスライド部７２の左右の内部にはアンテナ体７３が取付けられる。このアンテナ体７３はＩＤカード３０内のアンテナ体２４Ｂに電磁結合され、カード内のＩＣチップ２４Ａへの駆動電源を供給しつつ、個人識別情報ＩＤや個人情報Ｄ１などの情報の書込みあるいは読出しを行う。
【０１１８】
また、カートリッジ用リーダライタ５０′は、図４（ｂ）に示す様にカートリッジ１０の記録手段２０に対向して配置され、内部にカード部材用リーダライタ５０と同様にアンテナ体７３が取付けられ、カード識別情報ＣＤや発行履歴に関する情報ＭＤの書込みや読出しを行う。
【０１１９】
情報書込み読出し制御部７１は内部バス８１に接続された送受信部７４、ＲＡＭ７５、ＲＯＭ７６、通信インタフェース７７、ＣＰＵ７８及び電源部７９を有している。上述したカードリードライト部７０のアンテナ体７３には送受信部７４が接続され、情報書込み時にはカード部材３０′用のリーダライタ５０では所定の変調電波に変調された個人識別情報ＩＤ、個人情報Ｄ１及び顔画像情報Ｄ２が、カートリッジ用リーダライタ５０′ではカード識別情報ＣＤや発行履歴情報ＭＤが送信される。
【０１２０】
なお、情報の読出しを行う時には、予めＩＤカード３０で所定の変調信号に変調した電子情報ＩＤ＋Ｄ１＋Ｄ２、カートリッジ１０では電子情報ＣＤ＋ＭＤをアンテナ体７３を介して取り込み、復調後に情報が読み出される。
【０１２１】
送受信部７４には、内部バス８１を介してＲＡＭ７５及びＲＯＭ７６が接続され、カード部材３０′用のリーダライタ５０では送受信部７４で復調した個人識別情報ＩＤ、個人情報Ｄ１及び顔画像情報Ｄ２を、カートリッジ用リーダライタ５０′ではカード識別情報ＣＤや発行履歴情報ＭＤを一時記憶する。
【０１２２】
ＲＯＭ７６には、情報書込み読出し手順等の制御データが格納される。内部バス８１には通信インタフェース７７が接続され、ＲＳ−２３２Ｃ（又はＲＳ−４２２）の通信プロトコルに準拠した通信回線を介してコンピュータ４０が接続される。この様にリーダライタ５０及び５０′とコンピュータ４０との間でデータ通信が可能である。
【０１２３】
この通信インタフェース７７には内部バス８１を介してＣＰＵ７８が接続され、情報の書込みや読出しを行う時、送受信部７４、ＲＡＭ７５及びＲＯＭ７６の入出力を制御する。例えば、情報の読出しを行う時は、送受信部７４から得られた電子情報ＩＤ＋Ｄ１＋Ｄ２を通信インタフェース７８を介して外部のコンピュータ４０に転送する。また、情報の書込みを行う時は、コンピュータ４０から転送された電子情報を送受信部７４に出力する。
【０１２４】
また、情報書込み読出し制御部７１には電源部７９が設けられ、ＩＤカード３０内の記憶手段２４を構成するＩＣチップ２４Ａ、あるいはカートリッジ１０の記録手段２０を構成するＩＣチップを駆動させる所定の周波数の高周波信号をアンテナ体７３に供給する。さらに電源部７９は、送受信部７４、ＲＡＭ７５、ＲＯＭ７６、通信インタフェース７７及びＣＰＵ７８に直流電圧ＶＣＣの供給を行っている。
【０１２５】
【発明の効果】
本発明によれば、従来技術では個々のＩＤカードの記憶手段にのみ記録されていた発行履歴に関する情報をカートリッジに設けられた記録手段に記録し、カートリッジの記録手段に記録された発行履歴に関する情報を活用することにより、カード管理業者やカード部材製造業者にも発行履歴に関する情報がフィードバックされて高い安全性と品質性能が発現されるＩＤカード管理体制の構築を可能にした。
【０１２６】
すなわち、カートリッジに記録された情報をデータベース化してカード部材製造業者やカード管理業者がカード作成時の発行履歴情報を活用することを可能にする。カード部材製造業者にはカード部材の消費に関する情報提供を行うことでカード部材の生産管理や出庫在庫管理の効率化を可能にする。
【０１２７】
また、カードの発行履歴情報と個々のカード部材に付与される識別情報との対応により、ＩＤカードの不正発行や偽造あるいは変造を防ぐことが可能になり、高セキュリティ性の要求されるカードの管理性能を向上させる。
【０１２８】
さらに、これらの情報を把握しておくことで、カード部材の品質面や性能面からのＩＤカード管理を行うことが可能になり、早い段階でのカード所有者へのカード更新連絡が行え、品質面での故障が発生した時に同一あるいは近接のロット番号のＩＤカードにもトラブル対応が可能になるので、ＩＤカードの品質面及び性能面での管理を向上させる。
【図面の簡単な説明】
【図１】本発明に係るＩＤカード作成システムの全体像の概要を示す模式図である。
【図２】本発明に係るＩＤカード作成装置の模式図である。
【図３】本発明に係るＩＤカード作成システムにおけるＩＤカード作成手順を示すフロー図である。
【図４】本発明に係るカード収納製品を示す模式図である。
【図５】本発明に係るＩＤカードの積層構造を示す模式図である。
【図６】電子情報の読取りや書込みを行うリーダライタ装置の模式図である。
【図７】発行履歴情報サーバに記録した発行履歴情報を活用する状態を示す模式図である。
【符号の説明】
Ａ  カートリッジ部
Ｂ  ＩＤカード発行部
Ｃ  情報供給部
ＩＤ  個人識別情報
Ｄ１  個人情報
Ｄ２  顔画像情報
ＣＤ  カード識別情報
ＭＤ  発行履歴に関する情報
１００  ＩＤカード作成システム
２００  ＩＤカード作成装置
１０  カートリッジ
１１  撮影装置
１２  スキャナ
１３  ネットワーク
１４  発行済みカードのデータベースサーバ
１５  ＩＤカード作成依頼書
１６  個人情報データベースサーバ
２０  カートリッジの記録手段（タグ）
２４  カードの記憶手段（電子部品）
３０  ＩＤカード
３０′  カード部材（生カード）
４０  コンピュータ（制御手段）
５０  情報付与部（カードリーダライタ）
５０′  情報付与部（カートリッジ用リーダライタ）
６０  画像形成装置（プリンタ）
【図１】
2004272513.tif 000003
【図２】
2004272513.tif 000004
【図３】
2004272513.tif 000005
【図４】
2004272513.tif 000006
【図５】
2004272513.tif 000007
【図６】
2004272513.tif 000008
【図７】
2004272513.tif 000009